【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
運送業者を介しての売り手から買い手への梱包物の配送と、買い手銀行コンピュータにより制御されている資金口座から前記売り手へ前記買い手が前記梱包物を支払うのを制御するためのコンピュータのハブ及びスポークシステムであって、
１つ以上のメモリ記憶領域を備えているデータメモリを有し、複数のスポークコンピュータとの通信のためのハブとして形成されている促進役コンピュータを備え、
前記スポークコンピュータは、命令入力コンピュータと運送業者コンピュータとエスクロー銀行コンピュータとを備え、
前記促進役コンピュータは、
前記命令入力コンピュータから前記梱包物の配送及びその支払いを促進する要求と、該要求に関連する出荷命令情報とを電子的に受信し、データメモリに前記要求の少なくとも一部と、前記出荷命令情報とを記憶するためと、
ソース個所から中間個所へ向かっての前記梱包物の輸送が梱包物エスクローコマンド下にあるとの通知を電子的に受信し、前記梱包物が運送中であるとの前記通知に基づいて前記データメモリを更新するためと、
前記売り手の資金口座からエスクロー口座への支払いの証明を前記エスクロー銀行コンピュータから電子的に受信し、前記エスクロー支払い証明に基づいて前記データメモリを更新するためと、
前記支払いエスクロー証明に応答して、前記梱包物エスクローコマンドを終了し、前記中間個所を越えて目的地個所への前記梱包物の輸送を許可する発送コマンドを運送業者コンピュータへ電子的に送信するためと、
前記運送業者から配達証明を電子的に受信し、前記配達証明に基づいて前記データメモリを更新するためと、
前記配送証明に応答して、前記エスクロー銀行コンピュータに分配コマンドを電子的に送信して、前記エスクロー口座から前記売り手の資金口座への支払いの転送を引き起こすために、
前記スポークコンピュータと通信するように適応されている
ハブ及びスポークコンピュータシステム。
【請求項２】
前記促進役コンピュータは、前記梱包物が運搬中であるとの通知を命令入力システム受信するように形成されている、請求項１に記載のハブ及びスポークコンピュータシステム。
【請求項３】
前記促進役コンピュータは、前記出荷命令情報の受信後に前記梱包物エスクローコマンドを前記運送業者コンピュータに電子的に促進するように形成され、前記梱包物エスクローコマンドは、前記目的地個所の前にある前記中間個所を越えて前記梱包物を輸送することを阻止する、請求項２に記載のハブ及びスポークコンピュータシステム。
【請求項４】
前記促進役コンピュータ及び前記命令記入コンピュータの少なくとも一部は、１つの共通のコンピュータシステム上に常駐している、請求項３に記載のハブ及びスポークコンピュータシステム。
【請求項５】
前記促進役コンピュータは、前記梱包物が運搬中であるとの通知を前記運送業者コンピュータシステムから受信するように形成されている、請求項１に記載のハブ及びスポークコンピュータシステム。
【請求項６】
前記出荷命令情報は、前記命令記入システムコンピュータからの梱包物の前記目的地個所、梱包物の問い合わせ番号、取引量及び売り手識別子を含み、前記支払い証明は、少なくとも前記取引量の支払い証明を含み、前記配達証明は、前記運送業者コンピュータから前記問い合わせ番号の検出の通知を受信したことを含み、前記売り手の前記資金口座への支払いの転送が、少なくとも前記取引量の転送を含む、請求項１に記載のハブ及びスポークコンピュータシステム。
【請求項７】
前記配送証明は署名画像を含む、請求項６に記載のハブ及びスポークコンピュータシステム。
【請求項８】
前記促進役コンピュータは、前記買い手資金口座から前記エスクロー口座へ支払いをせよとの前記売り手銀行コンピュータへの要求を電子的に促進するようにさらに形成されている、請求項１に記載のハブ及びスポークコンピュータシステム。
【請求項９】
前記促進役コンピュータは、前記中間個所に前記梱包物を保留することを要求する保留フラグを送信するようにさらに形成されている、請求項１に記載のハブ及びスポークコンピュータシステム。
【請求項１０】
前記発送コマンドは、前記保留フラグの作用を終了するように形成されている発送コードを含む、請求項９に記載のハブ及びスポークコンピュータシステム。
【請求項１１】
資金口座を有する売り手と、資金口座を有する買い手と、運送業者との間の取引を促進する方法であって、前記売り手は、前記買い手が品物の１つ以上の梱包物と交換に支払うことに同意した方法において、
促進役コンピュータで、前記梱包物の配送及び支払いを促進せよとの前記売り手及び前記買い手のうちの一人からの要求と、この要求に関連する出荷命令情報とを電子的に受信し、前記要求及び前記出荷命令情報の少なくとも一部を前記促進役コンピュータのデータメモリに記憶し、前記データメモリは１つ以上の記憶領域を備え、
ソース個所から中間個所へ向かっての前記梱包物の輸送が梱包物エスクローコマンド下にあるとの通知を電子的に受信し、前記梱包物が運送中であるとの通知に基づいて前記促進役コンピュータのデータメモリを更新し、
前記買い手の前記資金口座からエスクロー口座への支払いを電子的に受信し、支払いディスク証明に基づいて前記促進役コンピュータのデータメモリを更新し、
前記支払いエスクロー証明に応答して、前記促進役コンピュータから前記運送業者へ発送コマンドを電子的に送信して、前記梱包物エスクローコマンドを終了し、前記中間個所を越えて前記目的地個所への前記梱包物の輸送を許可し、
前記運送業者からの配送証明を電子的に受信し、前記配送証明に基づいて前記促進役コンピュータのデータメモリを更新し、
前記配送証明に応答して、前記促進役コンピュータから分配コマンドを電子的に送信して、前記エスクロー口座から前記売り手の前記資金口座への支払いの転送を引き起こす
取引促進方法。
【請求項１２】
前記梱包物が運送中であるとの通知の受信後、前記買い手の前記資金口座から支払いをせよとの要求を前記促進役コンピュータから電子的に送信することをさらに含んで成る、請求項１１に記載の取引促進方法。
【請求項１３】
前記出荷命令情報の受信後に前記運送業者へ前記梱包物エスクローコマンドを電子的に通信し、前記梱包物エスクローコマンドは、前記目的地個所の前にある前記中間個所を越えて前記梱包物を輸送することを送信することをさらに含んで成る、請求項１１に記載の取引促進方法。
【請求項１４】
前記梱包物エスクローコマンドの通信は、前記中間個所で前記梱包物を保留せよとの前記運送業者コンピュータへの保留フラグの通信を含む、請求項１３に記載の取引促進方法。
【請求項１５】
前記発送コマンドの通信は、前記保留フラグの作用を終了するように形成されている発送コードの通信を含む、請求項１４に記載の取引促進方法。
【手続補正２】
【補正対象書類名】明細書
【補正対象項目名】００４５
【補正方法】変更
【補正の内容】
【００４５】
本発明が関係する技術分野における当業者であれば本明細書の記述と添付図面において与えられた教示の恩恵を得て本発明の多くの変更と他の実施態様を考えつくことであろう。例えば、Ｉ−ＣＯＤシステム１０はインターネット購入システムに統合されてＩ−ＣＯＤシステムを使用して選ばれた商品に対して順次、輸入、輸出及び支払を経て異なる国の商品を購入することができるようにすることができる。さらに、配送システム１０は国際的なＣＯＤ取引はもとより国内の取引にも使用することができる。さらにオプションとして、出荷命令システム３８または情報システム１３は取引の全コスト（輸送の輸出入に関連する様々な手数料を含む）である「陸揚げ費込み原価（landed cost）」を計算することが可能である。以上のことから、本発明は開示された特定の実施態様に限定されることはなく、変更及び他の実施態様は特許請求の範囲内に含まれることが意図されていることは理解されよう。本明細書においては特定の用語が採用されているが、それらは限定目的ではなく包括的かつ記述的な意味において使用されているものである。
各実施の形態を示す。
（１）  配送サービスシステムを使用した売り手による商品の１個以上の梱包物の配送と、支払システムを使用した買い手による該梱包物に対する支払とを調整するための電子情報システムにおいて、
前記売り手と前記買い手と前記配送サービスシステムの１つから、前記梱包物の配送とその支払の調整を要求する命令を受信することが可能であり、かつ、調整要求の証明を送信するようにも構成された要求システムと、
前記調整要求の証明を受信することが可能であり、かつ、該調整要求の証明を受信するとすぐにそれに応えて前記配送サービスシステムに向けて該配送サービスシステムが前記梱包物を或る場所に保留することを要求する保留要求を送信することが可能な保留システムと、
前記買い手による前記梱包物に対する支払を証明するための前記支払システムによって送信された支払証明を受信することが可能であり、かつ、該支払証明を受信するとすぐにそれに応えて前記配送サービスシステムに向けて該配送サービスシステムが前記買い手に配送するために前記梱包物を発送することを要求する発送要求を送信することが可能な発送システムと、
を具備したことを特徴とする電子情報システム。
（２）  配送サービスシステムを使用した売り手による商品の１個以上の梱包物の配送と、買い手による該梱包物に対する支払とを調整するための電子情報システムにおいて、
前記売り手と前記買い手と前記配送サービスシステムの１つから、前記梱包物の配送とその支払の調整を要求する命令を受信することが可能であり、かつ、調整要求の証明を送信するようにも構成された要求システムと、
前記調整要求の証明を受信することが可能であり、かつ、該調整要求の証明を受信するとすぐにそれに応えて前記配送サービスシステムに向けて該配送サービスシステムが前記梱包物を或る場所に保留することを要求する保留要求を送信することが可能な保留システムと、
前記買い手の資金口座から支払を受領することが可能であり、かつ、該買い手の資金口座から支払を受領するとすぐにそれに応えて支払証明を送信することが可能な口座システムと、
前記口座システムによって送信された前記支払証明を受信して前記買い手による前記梱包物に対する支払を確認することが可能であり、かつ、該支払証明を受信するとすぐにそれに応えて前記配送サービスシステムに向けて該配送サービスシステムが前記買い手に配送するために前記梱包物を発送することを要求する発送要求を送信することが可能な発送システムと、
を具備したことを特徴とする電子情報システム。
（３）  それぞれ自身の資金口座を持つ売り手と買い手との間で取引を成立させるための配送システムであって、前記売り手は商品の１個以上の梱包物を前記買い手からの支払と交換することに合意しているものにおいて、
前記梱包物を第１の場所から中間的な場所に配送することが可能であり、かつ、該中間的な場所に該梱包物を保留するための保留コマンドと、該中間的な場所から該梱包物を発送するための発送コマンドとに応答する配送サービスシステムと、
前記買い手の資金口座から前記支払を受領して、それに対する支払証明情報を送信するように構成された支払システムと、
前記売り手と前記買い手と前記配送サービスシステムの１つから命令を受信し、該命令に応答して該配送サービスシステムに向けて前記保留コマンドを送信し、前記支払システムから前記支払証明情報を受信するように構成されており、かつ、該支払証明情報を受信するとすぐにそれに応えて前記配送サービスシステムに向けて前記発送コマンドを送信してそれにより前記梱包物を発送するようにも構成された情報システムと、
を具備したことを特徴とする配送システム。
（４）  前記配送サービスシステムは前記梱包物を発送した後に該梱包物を最終的な場所に配送することが可能である、ことを特徴とする（３）に記載の配送システム。
（５）  前記最終的な場所は買い手所在地であって、前記配送サービスシステムは該買い手所在地への配送後に配送証明情報を送信することが可能である、ことを特徴とする（４）に記載の配送システム。
（６）  前記支払システムは更に、支払を受領次第それを保留し送金コマンドに即応して前記売り手の資金口座に該支払を送金するように構成されており、前記情報システムは更に、前記配送証明情報を受信するとすぐにそれに応えて前記支払システムに前記送金コマンドを送信するように構成されている、ことを特徴とする（５）に記載の配送システム。
（７）  前記システムはいずれもそれぞれの情報とコマンドを電子的に送受信することが可能である、ことを特徴とする（６）に記載の配送システム。
（８）  前記第１の場所は第１国に所在し、前記中間的な場所は第２国に所在しており、前記配送サービスシステムは、前記第１国に輸出仲介業者を、前記第２国に輸入仲介業者を更に含んでいる、ことを特徴とする（３）に記載の配送システム。
（９）  前記輸出仲介業者は前記梱包物の前記第１国からの輸出を通関手続きをすることが可能であり、前記輸入仲介業者は前記梱包物の前記第２国への輸入を通関手続をするとともに前記保留コマンドに即応して前記中間的な場所に該梱包物を保留することが可能である、ことを特徴とする（８）に記載の配送システム。
（１０）  前記配送サービスシステムは、前記梱包物を前記中間的な場所から最終的な場所に配送する地域配送システムを更に含む、ことを特徴とする（９）に記載の配送システム。
（１１）  前記最終的な場所は買い手所在地であって、前記配送サービスシステムは該買い手所在地への配送後に配送証明情報を送信することが可能である、ことを特徴とする（１０）に記載の配送システム。
（１２）  前記口座は更に、送金コマンドに即応して前記売り手の資金口座に前記支払を送金するように構成されており、前記情報システムは更に、前記配送証明情報を受信するとすぐにそれに応えて前記支払システムに前記送金コマンドを送信するように構成されている、ことを特徴とする（１１）に記載の配送システム。
（１３）  前記システムはいずれもそれぞれの情報とコマンドを電子的に送受信することが可能である、ことを特徴とする（１２）に記載の配送システム。
（１４）  前記売り手によって発行された出荷命令情報を記録して該出荷命令情報を前記配送サービスシステムに送信するように構成された出荷命令システムを更に具備する、ことを特徴とする（３）に記載の配送システム。
（１５）  前記出荷命令情報は輸出入情報を含んでおり、前記配送サービスシステムは前記出荷命令システムから該出荷命令情報を受信するとともに、該出荷命令情報を使用して前記第１の場所を有する第１国からの前記梱包物の輸出の通関手続きを済ませ、かつ、該出荷命令情報を使用して前記中間的な場所を有する第２国への前記梱包物の輸入の通関手続きを済ませることが可能である、ことを特徴とする（１４）に記載の配送システム。
（１６）  前記輸出入情報は商品価格情報と取引整理番号と支払通貨の少なくとも１つに関する情報を含む、ことを特徴とする（１５）に記載の配送システム。
（１７）  前記出荷命令システムは前記出荷命令情報を受信するとすぐにそれに応えて前記買い手に通知情報を送信するように構成されている、ことを特徴とする（１４）に記載の配送システム。
（１８）  前記通知情報は当該梱包された商品に関する説明と支払方法に関する指示を含む、ことを特徴とする（１７）に記載の配送システム。
（１９）  前記支払システムは資金口座を含んでおり、前記支払方法に関する指示は口座識別番号と支払額を含む、ことを特徴とする（１８）に記載の配送システム。
（２０）  前記情報システムは支払方法に関する指示を載せた信頼できるインターネットサイトを含んでおり、前記通知情報は当該梱包された商品の説明と前記信頼できるインターネットサイト上の前記支払方法に関する指示へのリンク情報を含む、ことを特徴とする（１７）に記載の配送システム。
（２１）  前記支払システムは資金口座を含んでおり、前記支払方法に関する指示は口座識別番号と支払額を含む、ことを特徴とする（２０）に記載の配送システム。
（２２）  前記システムはいずれもそれぞれの情報とコマンドを電子的に送受信することが可能である、ことを特徴とする（２０）に記載の配送システム。
（２３）  それぞれ自身の資金口座を持つ売り手と買い手との間で国際取引を成立させるための国際代金引換配送システムであって、前記売り手は商品の１個以上の梱包物を前記買い手からの支払と交換することに合意しており、かつ、該売り手は第１の商務局を有する第１国に所在し、該買い手は第２の商務局を有する第２国に所在するものにおいて、
梱包物出荷情報を受信し、該梱包物出荷情報を使用して前記第１の商務局と交渉して前記第１国からの前記梱包物の輸出通関手続を済ませることが可能な輸出サービスシステムと、
前記梱包物出荷情報を受信し、該梱包物出荷情報を使用して前記第２の商務局と交渉して前記第２国への前記梱包物の輸入通関手続を済ませることが可能であり、前記梱包物を保留するための保留コマンドと該梱包物を発送するための発送コマンドとに応答する輸入サービスシステムと、
前記買い手の資金口座からの支払を受領して、それに対する支払証明情報を伝達するように構成された支払システムと、
前記売り手と前記買い手の一方から前記出荷情報を受信して、該出荷情報を前記輸出サービスシステムと前記輸入サービスシステムに送信するように構成されており、更に前記輸入サービスシステムに前記保留コマンドを送信し、前記口座から前記支払証明情報を受信するように構成されるとともに、該支払証明情報を受信するとすぐにそれに応えて前記輸入サービスシステムに向けて前記発送コマンドを送信してそれにより前記出荷情報、前記支払証明情報、及び前記梱包物の流れを制御して前記買い手と前記売り手との間の国際取引を成立させるようにも構成された電子情報システムと、
を具備したことを特徴とする国際代金引換配送システム。
（２４）  前記輸入サービスシステムから発送された前記梱包物を受領して該梱包物を前記買い手まで配送し、そして配送証明情報を前記情報システムに送信するように構成された地域配送システムを更に具備する、ことを特徴とする（２３）に記載の国際代金引換配送システム。
（２５）  前記口座は更に、送金コマンドに即応して前記売り手の資金口座に前記支払を送金するように構成されており、前記情報システムは更に、前記配送証明情報を受信するとすぐにそれに応えて前記支払システムに前記送金コマンドを送信するように構成されている、ことを特徴とする（２４）に記載の国際代金引換配送システム。
（２６）  前記売り手によって発行された出荷命令情報を記録して該出荷命令情報を前記情報システムに送信するように構成された出荷命令システムを更に具備する、ことを特徴とする（２３）に記載の国際代金引換配送システム。
（２７）  それぞれ自身の資金口座を持つ売り手と買い手との間で取引を成立させるための配送方法であって、前記売り手は商品の１個以上の梱包物を前記買い手からの支払と交換することに合意しているものにおいて、
配送システムを使用して前記梱包物を第１の場所で受け取り、
情報システムを使用して前記梱包物に関する出荷命令情報を受信し、
前記配送システムを使用して前記梱包物を中間的な場所まで輸送し、
前記情報システムを使用して前記配送サービスシステムに向けて保留コマンドを送信し、
前記保留コマンドに応えて前記配送システムを使用して前記梱包物を前記中間的な場所に保留し、
支払システムを使用して前記買い手の資金口座から前記支払を受領して前記情報システムにそれに対する支払証明を送信し、
前記情報システムを使用して前記配送システムに発送コマンドを送信し、
前記発送コマンドに応えて前記梱包物を前記中間的な場所から発送する、ことを含むことを特徴とする配送方法。
（２８）  前記梱包物を発送した後に該梱包物を買い手所在地まで配送し、前記配送システムを使用して前記情報システムに配送証明情報を送信することを更に含むことを特徴とする（２７）に記載の配送方法。
（２９）  前記配送証明情報を受信した後に前記情報システムを使用して前記支払システムに送金コマンドを送信し、該送金コマンドに応えて前記支払システムを使用して前記売り手の資金口座に前記支払を送金することを更に含むことを特徴とする（２８）に記載の配送方法。
（３０）  前記配送システムの輸出仲介業者を使用して前記梱包物の前記第１の場所からの輸出通関手続を済ませ、該梱包物を前記中間的な場所まで移動させる前に前記配送システムの輸入仲介業者を使用して該梱包物の該中間的な場所への輸入通関手続を済ませることを更に含むことを特徴とする（２７）に記載の配送方法。
（３１）  前記梱包物を発送した後に前記配送システムの地域配送システムを使用して買い手所在地まで該梱包物を配送し、前記配送システムを使用して前記情報システムに配送証明を送信することを更に含むことを特徴とする（３０）に記載の配送方法。
（３２）  前記配送証明を受信した後に前記情報システムを使用して前記支払システムに送金コマンドを送信し、前記支払システムを使用して前記売り手の資金口座に前記支払を送金することを更に含むことを特徴とする（３１）に記載の配送方法。
（３３）  出荷命令システムを使用して出荷命令情報を記録し、該出荷命令情報を前記配送サービスシステムに送信することを更に含むことを特徴とする（２７）に記載の配送方法。
（３４）  前記出荷命令情報は輸出情報と輸入情報を含んでおり、該輸出情報を使用して前記梱包物の前記第１の場所からの輸出通関手続を済ませ、該梱包物を前記中間的な場所まで移動させる前に前記輸入情報を使用して該梱包物の該中間的な場所への輸入通関手続を済ませることを更に含むことを特徴とする（３３）に記載の配送方法。
（３５）  前記出荷命令情報を受信した後に前記出荷命令システムを使用して前記買い手に通知情報を送信することを更に含むことを特徴とする（３３）に記載の配送方法。
（３６）  前記通知情報は前記梱包物に関する説明と前記情報システムの信頼できるインターネットサイト上にある支払方法に関する指示へのリンク情報を含むことを特徴とする（３５）に記載の配送方法。